(57)【要約】【課題】  高周波サージにより変圧器容器自身の電位上昇を抑制できるガス絶縁計器用変圧器を得る。【解決手段】  変圧器容器２内に変圧器本体をガス絶縁して収容する。変圧器本体の１次巻線の低圧側は変圧器容器２を気密に貫通するブッシング８を経て外に引き出し、接地端子板１９に電気的に接続する。接地端子板１９は、変圧器容器２に対して電気的に絶縁状態で固定する。接地端子板１９に接地線１２を接続する。接地端子板１９と変圧器容器２に電気的に接続された接地端子２３との間に接地線の電位上昇を押さえる放電用ギャップ形成電極対２１を接続する。【選択図】  図１
2009164645.tif 000002
【特許請求の範囲】
【請求項１】
変圧器容器内に変圧器本体が収容されてガス絶縁され、前記変圧器本体の１次巻線の低圧側が接地されるガス絶縁計器用変圧器において、
前記変圧器本体の１次巻線の低圧側は前記変圧器容器を気密に貫通するブッシングを経て外に引き出されて接地端子板に電気的に接続され、
前記接地端子板は前記変圧器容器に対して電気的に絶縁された状態で固定され、
前記接地端子板に接地線が接続され、
前記接地端子板と前記変圧器容器に電気的に接続された接地端子との間に、前記接地線の電位上昇を押さえる放電用ギャップ形成電極対が接続されていること、
を特徴とするガス絶縁計器用変圧器。
【請求項２】
変圧器容器内に変圧器本体が収容されてガス絶縁され、前記変圧器本体の１次巻線の低圧側が接地されるガス絶縁計器用変圧器において、
前記変圧器容器に固定されて該変圧器容器に電気的に一体に接続された端子箱内に前記変圧器容器に対して絶縁された接地端子板が設けられ、
前記変圧器本体の１次巻線の低圧側は前記変圧器容器を気密に貫通したブッシングを経て前記端子箱内に引き出されて前記接地端子板に電気的に接続され、
前記接地端子板は、前記端子箱を絶縁ブッシングを介して貫通して外部に引き出された接地線を通して接地され、
前記変圧器容器は、相分離形ガス絶縁開閉装置の容器に接続されて、該ガス絶縁開閉装置の容器側で共通に接地され、
前記接地端子板と前記変圧器容器に電気的に接続された接地端子との間に、前記接地線の電位上昇を押さえる放電用ギャップ形成電極対が接続されていること、
を特徴とするガス絶縁計器用変圧器。
【発明の詳細な説明】
【技術分野】
【０００１】
本発明は、ガス絶縁計器用変圧器に関し、特にその１次巻線の低圧側の接地構造の改良に関するものである。
【背景技術】
【０００２】
例えば、電力設備であるガス絶縁開閉装置（ＧＩＳ）にて使用されるガス絶縁計器用変圧器は、１次側の高電圧を測定可能な電圧に高精度で変成して変成した電圧を２次側から出力する機能をもっている。
【０００３】
図３（Ａ）（Ｂ）及び図４は従来のこの種のガス絶縁計器用変圧器の構造を示したもので、図３（Ａ）は従来のガス絶縁計器用変圧器の正面図、図３（Ｂ）は図３（Ａ）で用いている端子箱の側面図、図４は従来のガス絶縁計器用変圧器の回路図である。
【０００４】
従来のガス絶縁計器用変圧器１は、金属製の変圧器容器２を備え、該変圧器容器２内に変圧器本体３が収容されてガス絶縁されている。変圧器本体３は、図示しない鉄心に１次巻線４と２次巻線５とが巻装されて構成されている。変圧器容器２の側壁には、端子箱６が端子箱固定ボス７を利用して固定され、電気的にも一体化されている。
【０００５】
変圧器本体３の１次巻線４の低圧側は、ブッシング８を経て気密に変圧器容器２の側壁を貫通して外に導出されるとともに、端子箱６の底板６ａを貫通して端子箱６内に導入されて該端子箱６内で接地線９を介して端子箱６の底板６ａの接地ボス１０に接続され、更に端子箱固定ボス７を介して変圧器容器２と電気的に一体に接続されている。変圧器容器２には接地端子１１が設けられ、該接地端子１１に接地線１２が接続されて接地がなされている。換言すれば、１次巻線４の低圧側は、ブッシング８を経て外部に引き出され、変圧器容器２を介して接地線１２に接続されて接地されている。２次巻線５の両端は、ブッシング８を経て外部に引き出され、端子台２５を経て電圧監視部や遮断器等の開閉動作の制御回路に接続されている。
【０００６】
このようなガス絶縁計器用変圧器１は、相分離形ガス絶縁開閉装置１３に接続されている。即ち、ガス絶縁計器用変圧器１の変圧器容器２は相分離形ガス絶縁開閉装置１３の容器１４に接続され、ガス絶縁計器用変圧器１の１次巻線４の高圧側は絶縁スペーサ１５を貫通して相分離形ガス絶縁開閉装置１３の電源１６に接続されている。相分離形ガス絶縁開閉装置１３の容器１４は、接地線１７で接地されている。この種のガス絶縁計器用変成器は例えば特許文献１に示されている。
【先行技術文献】
【特許文献】
【０００７】
【特許文献１】特開平８−１１５８３４号公報
【発明の概要】
【発明が解決しようとする課題】
【０００８】
しかしながら、このような構造の従来のガス絶縁計器用変圧器１では、次のような問題点があった。
【０００９】
（１）１次巻線４の低圧側を、変圧器容器２を接地回路の一部として利用して接地線１２に接続して接地しているので、接地回路のインピーダンスが大きくなり、ガス絶縁開閉装置１３の断路器の開閉や遮断器の開閉の時に発生する高周波サージにより変圧器容器２自身の電位が上昇し、架台等に逆閃絡する等、巡視点検時に危険を伴うという安全上の問題があった。
【００１０】
（２）相分離形のガス絶縁開閉装置１３の場合、接地が、従来例のようにガス絶縁計器用変圧器１の変圧器容器２とガス絶縁開閉装置１３の容器１４との２箇所で行われている多点接地になっていると、ガス絶縁計器用変圧器１の接地線１２〜変圧器容器２〜ガス絶縁開閉装置１３の容器１４〜ガス絶縁開閉装置１３の接地線１７を通して誘導による循環電流が流れ、電力損失が大きくなる問題点があった。
【００１１】
本発明の目的は、高周波サージによる変圧器容器自身の電位上昇を抑制できるガス絶縁計器用変圧器を提供することにある。
【００１２】
本発明の他の目的は、循環電流の流れを防止できるガス絶縁計器用変圧器を提供することにある。
【００１３】
本発明の他の目的は、接地線の電位上昇を防止できるガス絶縁計器用変圧器を提供することにある。
【課題を解決するための手段】
【００１４】
本発明は、変圧器容器内に変圧器本体が収容されてガス絶縁され、変圧器本体の１次巻線の低圧側が接地されているガス絶縁計器用変圧器を改良するものである。
【００１５】
請求項１に記載のガス絶縁計器用変圧器においては、変圧器本体の１次巻線の低圧側が変圧器容器を気密に貫通するブッシングを経て外に引き出されて接地端子板に電気的に接続されている。接地端子板は、変圧器容器に対して電気的に絶縁された状態で固定されていて、この接地端子板に接地線が接続されている。また接地端子板と変圧器容器に電気的に接続された接地端子との間に、接地線の電位上昇を押さえる放電用ギャップ形成電極対が接続されている。
【００１６】
上記のように構成すると、変圧器本体の１次巻線の低圧側が変圧器容器を介さずに直接接地線に接続されるため、接地回路のインピーダンスが小さくなり、高周波サージによる変圧器容器自身の電位上昇を抑制することができ、巡視点検時の安全性を向上させることができる。
【００１７】
また接地端子板と変圧器容器に電気的に接続された接地端子との間に接地線の電位上昇を押さえる放電用ギャップ形成電極対が接続されていると、接地端子板の電位が万一大きく上昇しても、この放電用ギャップ形成電極対を介して放電させることにより、接地線の電位上昇を防止することができる。
【００１８】
請求項２に記載されたガス絶縁計器用変圧器においては、変圧器容器に接続された端子箱内に変圧器容器に対して絶縁された接地端子板が設けられる。この場合、変圧器本体の１次巻線の低圧側は変圧器容器を気密に貫通したブッシングを経て端子箱内に引き出されて接地端子板に電気的に接続される。接地端子板は、端子箱を絶縁ブッシングを介して貫通した接地線を通して接地され、変圧器容器は、相分離形ガス絶縁開閉装置の容器に接続されて、該ガス絶縁開閉装置の容器側で共通に接地される。また接地端子板と変圧器容器に電気的に接続された接地端子との間に、接地線の電位上昇を押さえる放電用ギャップ形成電極対が接続されている。
【００１９】
上記のような構造になっていると、相分離形ガス絶縁開閉装置と組合わせてこのガス絶縁計器用変圧器を使用した際に、このガス絶縁計器用変圧器の変圧器容器の接地と該ガス絶縁開閉装置の容器の接地とが、該ガス絶縁開閉装置の容器側で共通に行われて１点接地となるため、このガス絶縁計器用変圧器を相分離形ガス絶縁開閉装置に組合わせた場合に循環電流が流れるのを防止することができる。
【発明の効果】
【００２０】
本発明に係るガス絶縁計器用変圧器では、変圧器本体の１次巻線の低圧側を変圧器容器を介さずに直接接地線に接続しているので、接地回路のインピーダンスを小さくして、高周波サージによる変圧器容器自身の電位上昇を抑制することができ、巡視点検時の安全性を向上させることができる。
【００２１】
また本発明によれば、接地端子板と変圧器容器に電気的に接続された接地端子との間に接地線の電位上昇を押さえる放電用ギャップ形成電極対を接続して、接地端子板の電位が万一大きく上昇したときに、この放電用ギャップ形成電極対を介して放電させるようにしたので、接地線の電位上昇を防止して安全性を向上させることができる。
【図面の簡単な説明】
【００２２】
【図１】（Ａ）は本発明を相分離形ガス絶縁開閉装置用ガス絶縁計器用変圧器に適用した一実施形態を示す正面図、（Ｂ）は（Ａ）で用いている端子箱の側面図である。
【図２】本例のガス絶縁計器用変圧器の回路図である。
【図３】（Ａ）は従来の相分離形ガス絶縁開閉装置用ガス絶縁計器用変圧器の正面図、（Ｂ）は（Ａ）で用いている端子箱の側面図である。
【図４】従来のガス絶縁計器用変圧器の回路図である。
【発明を実施するための形態】
【００２３】
図１（Ａ）（Ｂ）及び図２は本発明を相分離形ガス絶縁開閉装置用ガス絶縁計器用変圧器に適用した実施の形態の一例を示したもので、図１（Ａ）は本例のガス絶縁計器用変圧器の正面図、図１（Ｂ）は図１（Ａ）で用いている端子箱の側面図、図２は本例のガス絶縁計器用変圧器の回路図である。なお、前述した図３（Ａ）（Ｂ）及び図４に示す従来例と対応する部分には、同一符号を付けて示している。
【００２４】
この相分離形ガス絶縁開閉装置用ガス絶縁計器用変圧器においては、変圧器容器２は直接接地されておらず、相分離形ガス絶縁開閉装置１３の容器１４を接地している接地線１７を介して接地されている。
【００２５】
また、このガス絶縁計器用変圧器１においては、端子箱６内の底部６ａに、碍子１８によって該端子箱６及び変圧器容器２から電気的に絶縁して接地端子板１９が設けられている。変圧器本体３の１次巻線４の低圧側は、ブッシング８を経て気密に変圧器容器２の側壁を貫通して外に導出され、且つ端子箱６の底板６ａを貫通して端子箱６内に導入されて該端子箱６内の接地端子板１９に接地線９を介して電気的に接続されている。接地端子板１９には、接地線１２が接続されている。即ち、変圧器本体３の１次巻線４の低圧側は、変圧器容器２を介さずに接地線１２に直接接続されている。
【００２６】
接地端子板１９にはギャップ固定板２０が固定され、このギャップ固定板２０上には接地線１２の電位上昇を押さえる放電用ギャップ形成電極対２１が設置されている。この放電用ギャップ形成電極対２１の一方の電極は接地端子板１９に接続され、他方の電極は接地線２２を介して端子箱６内の底部６ａに設けられた接地端子としての接地ボス２３に電気的に接続されている。即ち、図２に示した回路図からも明らかなように、接地端子板１９と変圧器容器２に電気的に接続された接地端子との間に、接地線１２の電位上昇を押さえる放電用ギャップ形成電極対２１が接続されている。
【００２７】
接地線１２は、絶縁ブッシング２４を介して端子箱６を貫通している。また端子箱６は、通常は蓋６ｂで閉塞されている。
【００２８】
このように変圧器本体３の１次巻線４の低圧側が変圧器容器２を介さずに直接接地線１２に接続されていると、接地回路のインピーダンスが小さくなり、高周波サージにより変圧器容器２自身の電位上昇を少なくすることができ、巡視点検時の安全性を向上させることができる。
【００２９】
また、本例のように相分離形ガス絶縁開閉装置１３の構成機器の１つとしてこのガス絶縁計器用変圧器１を使用した際には、ガス絶縁計器用変圧器１の変圧器容器２の接地と該ガス絶縁開閉装置１３の容器１４の接地とが共通化されて、該ガス絶縁開閉装置１３の容器１４側で１点接地となるため、このガス絶縁計器用変圧器１と相分離形ガス絶縁開閉装置１３との組合わせであっても循環電流の流れを防止することができる。
【００３０】
また、接地端子板１９と接地端子としての接地ボス２３間に放電用ギャップ形成電極対２１が接続されていると、高周波サージが接地回路に侵入して接地端子板１９の電位が万一大きく上昇しても、この放電用ギャップ形成電極２１対を介して放電させることにより、接地線１２の電位上昇を防止することができるため、安全性を向上させることができる。
【符号の説明】
【００３１】
１  ガス絶縁計器用変圧器
２  変圧器容器
３  変圧器本体
４  １次巻線
５  ２次巻線
６  端子箱
６ａ  底板
６ｂ  蓋
７  端子箱固定ボス
８  ブッシング
９  接地線
１０  接地ボス
１１  接地端子
１２  変電所の接地線
１３  相分離形ガス絶縁開閉装置
１４  容器
１５  絶縁スペーサ
１６  電源
１７  接地線
１８  碍子
１９  接地端子板
２０  ギャップ固定板
２１  放電用ギャップ形成電極対
２２  接地線
２３  接地ボス（接地端子）
２４  絶縁ブッシング
２５  端子台
【図１】
2009164645.tif 000003
【図２】
2009164645.tif 000004
【図３】
2009164645.tif 000005
【図４】
2009164645.tif 000006